(57)【要約】      （修正有）【課題】配線ボックスに用いる磁石が安価なゴム磁石でもよく、かつ厚い壁板や金属材製の配線ボックスでも、埋設された位置を容易に検出することができる配線ボックス等の検出器。【解決手段】配線ボックスの輪郭形状に形成されたケース体と、検出した配線ボックスの中央部を、該配線ボックスを覆っている壁板にけ書くことができるように形成されたけ書き用透孔と、ケース体に設けられた配線ボックスの配線器具取付板に固定された磁石を検出して、その位置を検出する少なくとも8個以上のホールＩＣ（磁気センサー）と、上記け書き用透孔の上部位置に設けられたマトリックス状の表示器と、少なくとも8個以上のホールＩＣ（磁気センサー）で配線ボックスの一対のドーナツ状の磁石を検出し、表示器の中央部および上下端部の中央部を点灯させる表示手段と、該ケース体の後端部に回動可能に取付けられた電源を備えた蓋とで配線ボックス等の検出器を構成している。【選択図】図１
2010038703.tif 000002
【特許請求の範囲】
【請求項１】
１個用の配線ボックスの輪郭形状に形成されたケース体と、このケース体の中央部に検出した配線ボックスの中央部を、該配線ボックスを覆っている壁板にけ書くことができるように形成されたけ書き用透孔と、前記ケース体に設けられた前記配線ボックスの配線器具取付板を取付ける一対のねじ部に固定されたドーナツ状の磁石の磁力を検出して、その位置と方向を検出する少なくとも8個以上のホールＩＣ（磁気センサー）と、前記ケース体のけ書き用透孔の上部位置に設けられたマトリックス状の表示器と、前記少なくとも8個以上のホールＩＣ（磁気センサー）で配線ボックスの一対のドーナツ状の磁石を正確に検出すると、前記表示器の中央部および上下端部の中央部を点灯させる表示手段と、前記ケース体上に重なるように収納することができる、該ケース体の後端部に回動可能に取付けられた電源を備えた蓋とからなることを特徴とする配線ボックス等の検出器。
【請求項２】
ケース体に設けられた少なくとも8個のホールＩＣ（磁気センサー）は配線ボックスの一対のドーナツ状の磁石と等距離に配置された３対のホールＩＣ（磁気センサー）と、金属の配線ボックスと一対のドーナツ状の磁石が作る、実際には存在しないニセモノの磁石を排除する配線ボックスの中央部寄りの両側部に位置するように配置された一対の中央ホールＩＣ（磁気センサー）とからなることを特徴とする請求項1記載の配線ボックス等の検出器。
【請求項３】
ケース体に設けられた少なくとも8個のホールＩＣ（磁気センサー）は小判型の配線ボックスの一対のドーナツ状の磁石と等距離に配置されるとともに、丸型の配線ボックスの一対のドーナツ状の磁石と等距離に配置される4対のホールＩＣ（磁気センサー）と、金属の配線ボックスと一対のドーナツ状の磁石が作る、実際には存在していないニセモノの磁石を排除する配線ボックスの中央部寄りの両側に位置するように配置された一対の中央ホールＩＣ（磁気センサー）とからなることを特徴とする請求項1記載の配線ボックス等の検出器。
【請求項４】
表示手段は少なくとも8個以上のホールＩＣ（磁気センサー）で配線ボックスの一対のドーナツ状の磁石の磁力を正確に検出すると表示器の中央部および、上下端部の中央部を点灯させるとともに、検出した配線ボックスが小判型か丸型かを表示する型表示手段が設けられていることを特徴とする請求項１記載の配線ボックス等の検出器。
【発明の詳細な説明】
【技術分野】
【０００１】
本発明はスイッチやコンセント等の配線器具を取付けるための、壁板で覆われた状態で設置されている配線ボックスを検出する配線ボックス等の検出器に関する。
【背景技術】
【０００２】
従来、壁板で覆われた状態で設置された配線ボックスは、該配線ボックスに磁石を固定しておき、この磁石の磁力線を検出して、その埋設位置を特定することが考えられている。
【０００３】
しかしながら、配線ボックスに固定する磁石の磁力線が強くないと、壁板が厚いと検出できず、磁力線の強い高価な磁石を用いるか、壁板の厚さの薄い所で使用しなければならないという欠点があった。
【特許文献１】特になし
【発明の開示】
【発明が解決しようとする課題】
【０００４】
本発明は以上のような従来の欠点に鑑み、配線ボックスに用いる磁石が安価なゴム磁石でもよく、かつ厚い壁板や金属材製の配線ボックスでも、埋設された位置と方向を容易に検出することができる配線ボックス等の検出器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は１個用の配線ボックスの輪郭形状に形成されたケース体と、このケース体の中央部に検出した配線ボックスの中央部を、該配線ボックスを覆っている壁板にけ書くことができるように形成されたけ書き用透孔と、前記ケース体に設けられた前記配線ボックスの配線器具取付板を取付ける一対のねじ部に固定されたドーナツ状の磁石の磁力を検出して、その位置と方向を検出する少なくとも8個以上のホールＩＣ（磁気センサー）と、前記ケース体のけ書き用透孔の上部位置に設けられたマトリックス状の表示器と、前記少なくとも8個以上のホールＩＣ（磁気センサー）で配線ボックスの一対のドーナツ状の磁石を正確に検出すると、前記表示器の中央部および上下端部の中央部を点灯させる表示手段と、前記ケース体上に重なるように収納することができる、該ケース体の後端部に回動可能に取付けられた電源を備えた蓋とで配線ボックス等の検出器を構成している。
【発明の効果】
【０００７】
以上の説明から明らかなように、本発明にあっては次に列挙する効果が得られる。
【０００８】
（１）１個用の配線ボックスの輪郭形状に形成されたケース体と、このケース体の中央部に検出した配線ボックスの中央部を、該配線ボックスを覆っている壁板にけ書くことができるように形成されたけ書き用透孔と、前記ケース体に設けられた前記配線ボックスの配線器具取付板を取付ける一対のねじ部に固定されたドーナツ状の磁石の磁力を検出して、その位置と方向を検出する少なくとも8個以上のホールＩＣ（磁気センサー）と、前記ケース体のけ書き用透孔の上部位置に設けられたマトリックス状の表示器と、前記少なくとも8個以上のホールＩＣ（磁気センサー）で配線ボックスの一対のドーナツ状の磁石を正確に検出すると、前記表示器の中央部および上下端部の中央部を点灯させる表示手段と、前記ケース体上に重なるように収納することができる、該ケース体の後端部に回動可能に取付けられた電源を備えた蓋とで構成されているので、配線ボックスのドーナツ状の磁石の磁力を少なくとも8個以上のホールＩＣ（磁気センサー）で検出し、表示手段でマトリックス状の表示器に表示させることができる。
したがって、表示器の表示によって、壁板で覆われた配線ボックスの位置と方向を確認することができる。
【０００９】
（２）前記（１）によって、ケース体を１個用の配線ボックスの輪郭形状に形成しているので、壁板に埋設されている配線ボックスを検出した状態で、ケース体の輪郭をけ書くことにより、配線ボックスの位置と方向を特定することができる。
【００１０】
（３）前記（１）によって、ケース体の中央部にけ書き用透孔を形成しているので、壁板に埋設されている配線ボックスを検出した状態で、け書き用透孔より壁板に印を付けることにより、そこが丸型配線ボックスの中心となり、容易に壁板に穴を形成することができる。
【００１１】
（４）請求項２も前記（１）〜（３）と同様な効果が得られるとともに、配線ボックスの一対の磁石の磁気を確実に検出することができる。
【００１２】
（５）請求項３も前記（１） 〜（３）と同様な効果が得られるとともに、壁板に埋設されている配線ボックスが小判型か丸型であるかを、型表示手段で容易に判別することができる。
【発明を実施するための最良の形態】
【００１３】
以下、図面に示す本発明を実施するための最良の形態により、本発明を詳細に説明する。
【００１４】
図１ないし図１８に示す本発明を実施するための最良の第１の形態において、１は壁板２で覆われた小判型の配線ボックス３、丸型配線ボックス４および換気用ダクト５のうちのどれか、どの位置に埋設されているかを正確に検出する本発明の配線ボックス等の検出器である。
【００１５】
ここで、前記小判型配線ボックス３は図２ないし図４に示すように、金属材製の四角浅皿状の配線ボックス本体６と、この配線ボックス本体６の開口部の端部に折り曲げ形成されたねじ孔７を有する一対のカバー取付片８、８と、前記配線ボックス本体６の一対のカバー取付片８、８にビス９、９で着脱可能に固定される外周部にビス挿入溝１０、１０、１０、１０が形成された小判型あるいは長方形状の透孔１１が突出部位に形成された金属材製の小判型のカバー１２と、この小判型のカバー１２の上下部のほぼ中央部に凹部１３、１３となるように内側へ突出させた、小判型配線ボックス３に取付けられる配線器具取付板をビスで取付けるねじ孔１４、１４を有する取付板取付片１５、１５と、この取付板取付片１５、１５の凹部１３、１３部位にねじ孔１４、１４を塞ぐことなく、接着剤で固定されたリング状の上面がＮ極とＳ極の磁石１６、１７とで構成されている。
【００１６】
前記丸型配線ボックス４は図５ないし図７に示すように、金属材製の四角浅皿状の配線ボックス本体６と、この配線ボックス本体６の開口部の端部に折り曲げ形成されたねじ孔７を有する一対のカバー取付片８、８と、前記配線ボックス本体６の一対のカバー取付片８、８にビス９、９で着脱可能に固定される外周部にビス挿入溝１０、１０、１０、１０が形成された円形状の透孔１８が突出部位に形成された金属材製の丸型のカバー１９と、この丸型のカバー１９の上下部のほぼ中央部に凹部２０、２０となるように内側へ突出させた丸型配線ボックス４に取付けられる配線器具取付板をビスで取付ける、前記小判型配線ボックス３のねじ孔１４、１４の内側に位置する部位に形成されたねじ孔２１、２１を有する取付板取付片２２、２２と、この取付板取付片２２、２２の凹部２０、２０部位にねじ孔２１、２１を塞ぐことなく、接着剤で固定されたリング状の上面がＮ極とＮ極の磁石２３、２４とで構成されている。
【００１７】
前記換気用ダクト５は図８ないし図１０に示すように、建物の壁面に埋設され、下地材や化粧板等の壁板２等で覆われる丸パイプ材状の換気用ダクト本体２６と、この換気用ダクト本体２６内の下地材や化粧板等の壁板２等で覆われている近傍に着脱可能に取付けられた、本願発明者が考えた、中心の上面がＮ極のリング状の磁石２７を備えた換気用ダクト検出具２８（特許第４０８７４１７号）
とで構成されている。
また、図１０−１および図１０−２に示す表面がＮ極となるゴム磁石２７をシールＳに固定したシールセンサー５０を図１０−３に示す角柱にテープで固定したり、図１０−４に示す角パイプの開口端部に広幅テープを取付け、角パイプの開口端部の中央部の広幅テープにゴム磁石２７が中央部に位置するようにシールセンサー５０を固定したり、図１０−５に示す丸パイプの開口端部に広幅テープを取付け、丸パイプの開口端部の中央部の広幅テープにゴム磁石２７が中央部に位置するようにシールセンサー５０を固定したりしても良い。
【００１８】
前記配線ボックス等の検出器１は前記小判型配線ボックス３のＮ極とＳ極の磁石１６、１７の磁力線を検出し、前記丸型配線ボックス４のＮ極とＮ極の磁石２３、２４の磁力線を検出し、前記換気用ダクト５は換気用ダクト検出具２８の中央部のＮ極の磁石２７の磁力線を検出して、壁板２に埋設されているものが小判型配線ボックス３、丸型配線ボックス４あるいは換気用ダクト５であるかを判別し、図１０−３から図１０−５のように壁が仕上がっていても図１０−１および図１０−２に示すシールセンサー５０で中心位置がわかり、壁板２に開口部を形成することができるようにけ書くことができるもので、図１１ないし図１８に示すように、１個用の小判型配線ボックス３の輪郭形状で外周部にけ書き突片３０、３０ａ、３０、３０、３０ａ、３０を有する形状に形成されたケース体２９と、このケース体２９の中央部に検出した配線ボックスの中央部を、該配線ボックスを覆っている壁板２にけ書くことができるように形成されたけ書き用透孔３１と、前記ケース体２９に設けられた前記配線ボックスの配線器具取付板を取付ける一対のねじ部１４、１４、２１、２１に固定されたドーナツ状の磁石１６、１７、２３、２４および換気用ダクト５の換気用ダクト検出具２８の磁石２７の磁力を検出して、図１０−３から図１０−５のように壁が仕上がっていても図１０−１および図１０−２に示すシールセンサー５０で中心位置がわかり、その位置を検出する１２個のホールＩＣ（磁気センサー）３２、３２Ａ、３２Ｂ、３２Ｃ、３２Ｄ、３２Ｅ、３２Ｆ、３２Ｇ、３２Ｈ、３２Ｉ、３２Ｊ、３２Ｋと、前記ケース体２９のけ書き用透孔３１の上部位置に設けられたマトリックス状の表示器３３と、前記１２個のホールＩＣ（磁気センサー）３２、３２Ａ、３２Ｂ、３２Ｃ、３２Ｄ、３２Ｅ、３２Ｆ、３２Ｇ、３２Ｈ、３２Ｉ、３２Ｊ、３２Ｋで配線ボックスの一対のドーナツ状の磁石１６、１７、２３、２４および換気用ダクト５や
図１０−３から図１０−５の磁石２７を正確に検出すると、前記表示器３３の中央部および上下端部の中央部を点灯させるとともに、検出した配線ボックスが小判型、丸型および、換気用ダクトや図１０−３から図１０−５の中心であるかを表示する小判型ランプ３４、丸型ランプ３５および電源スイッチ４１を入れ、中心専用スイッチ３６ａを入れると、中心専用モード表示され中心専用ランプ３６が点灯する型表示手段３７を設けた表示手段３８と、前記表示器３３の側面部位の前記ケース体２９に設けられた水平器３９と、前記ケース体２９上に重なるように収納することができる、該ケース体２９の後端部に回動可能に取付けられた電源４０および電源スイッチ４１を備える蓋４２と、この蓋４２に設けられた水平器４３とで構成されている。
【００１９】
前記１２個のホールＩＣ（磁気センサー）３２、３２Ａ、３２Ｂ、３２Ｃ、３２Ｄ、３２Ｅ、３２Ｆ、３２Ｇ、３２Ｈ、３２Ｉ、３２Ｊ、３２Ｋのうちの磁気センサー３２、３２Ａ、３２ＢおよびホールＩＣ（磁気センサー）３２Ｉ、３２Ｊ、３２Ｋは小判型配線ボックス３の一対の磁石１６、１７との間が同じとなると、該小判型配線ボックス３が中心となるように配置され、ホールＩＣ（磁気センサー）３２、３２Ａ、３２ＣおよびホールＩＣ（磁気センサー）３２Ｉ、３２Ｊ、３２Ｈは丸型配線ボックス４の一対の磁石２３、２４との間が同じとなると、該丸型配線ボックス４が中心となるように配置され、ホールＩＣ（磁気センサー）３２Ｄ、３２Ｅは金属の配線ボックス３、４と磁石とが作る、実際には存在しないニセモノの磁石を排除するように検出する方法で使用できるように配置され、ホールＩＣ（磁気センサー）３２Ｄ、３２Ｅ、３２Ｆ、３２Ｇは換気用ダクト５の換気用ダクト検出具２８の磁石２７との間が同じとなると中心となるように配置され、この時、ホールＩＣ（磁気センサー）３２、３２Ａ、３２ＢおよびホールＩＣ（磁気センサー）３２Ｉ、３２Ｊ、３２Ｋは金属の換気用ダクトと磁石が作る、実際には存在しないニセモノの磁石を排除するように検出する方法が使用されている。
また、丸型、小判型配線ボックス４、３の判別はホールＩＣ（磁気センサー）３２、３２Ａ、３２Ｂ、３２Ｃ、３２Ｈ、３２Ｉ、３２Ｊ、３２Ｋ、３２Ｄ、３２Ｅまでの電圧値をマイコンで読み、左右にＮ極が２個ありそうだと判断した場合は丸型とし、左右にＮ極とＳ極がありそうだと判断した場合は小判型とする。
磁気センサーはＮ極とＳ極とで電圧値が反転するため、判断可能である。
【００２０】
上記構成にあっては、配線ボックスが埋設されていると思われる壁板２上を配線ボックス等の検出器１のケース体２９をスライド移動させると、配線ボックス３、４の一対の磁石１６、１７あるいは２３、２４を検出すると、表示器３３に表示され、表示器３３の中央部および上下部の中央部が点灯するように移動させる。この状態で埋設されている配線ボックスが小判型の場合は小判型ランプ３４が点灯し、丸型の場合は丸型ランプ３５が点灯する。
小判型ランプ３４が点灯すると、ケース体２９の輪郭を壁板２にけ書くことにより、壁板に明ける孔の位置が決定され、マトリックス状の表示器３３で小判型（１個用）の位置と向き（１４、１４）を確認してから水平器４３でケース体２９の外周をけ書き、穴明け工具により、開口できる。また、２個用以上は凸部３０ａをけ書きの位置に凸部３０を合わせ凸部３０と凸部３０との間隔で水平器４３とケース体２９の外周のけ書きで穴明け工具により、開口できる。また、２個用以上のけ書きおよび開口は凸部３０ａのけ書き後、水平器３９でケース体２９の外周に合わせて凸部３０ｂ、３０ｂ、３０ｂ、３０ｂをそれぞれけ書き、穴明け工具で開口できる。
丸型ランプ３５が点灯すると、ケース体２９のけ書き用透孔３１に印を付けることにより、丸型配線ボックス４の中心位置が決定される。マトリックス状の表示器３３で丸の位置と向き（２１、２１）を確認してからけ書き用透孔３１の中心をけがき、その位置にケース体２９を移動して、凹部３０ｄに合わせ水平器４３にて凹部３０ｃと凹部３０ｃとの間隔でビス孔（２１、２１）がわかり、ビス孔の穴明けすれば器具等の取付けができけ書き用透孔３１の中心よりのけ書きにより穴明け工具等で開口ができる。また、上記穴明け工具は本願発明者が考えた配線ボックス用穴明け治具（特許第３７３２１０６号）で壁板２に穴を短時間に、楽な作業で形成できる。
換気用ダクト５または図１０−３から図１０−５の場合は、センサー部にＮ極（ゴム磁石）２７が取り付けられており、センサー部２７の中心を出すことであり、まず、主電源スイッチ４１を入れてから、（電源表示ランプ４１ａを点灯）中心用専用スイッチ３６ａを入れると、検出器１の表示器３３は『中心モード』と表示され中心モード専用回路になり、３６のランプが点灯する。センサー部２７が埋設されていると思われる部位の壁板２上をケース体２９をスライド移動させることにより表示器３３内のランプが点灯する表示器３３の中心（色付けしてある）まで合わせる、その時の位置をケース体３１の穴よりけ書きするとセンサー部２７の中心になり、その中心より寸法を取ることにより色々な開口ができる。
[発明を実施するための異なる形態]
【００２１】
次に、図１９ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１９ないし図２３に示す本発明を実施するための第２の形態において、前記本発明を実施するための最良の第１の形態と主に異なる点は、ケース体２９の中央部寄りの部位に２個のホールＩＣ（磁気センサー）３２Ｄ、３２Ｅを配置するとともに、換気用ダクトを設けない小判型配線ボックス３と丸型配線ボックス４だけを検出することができる配線ボックス等の検出器１Ａにした点で、このように構成しても埋設された小判型・丸型配線ボックスを、前記本発明を実施するための最良の第１の形態と同様に検出することができる。
【００２３】
図２４ないし図２８に示す本発明を実施するための第３の形態において、前記本発明を実施するための最良の第１の形態と主に異なる点は、ホールＩＣ（磁気センサー）３２、３２Ａ、３２Ｂ、３２Ｃ、３２Ｄ、３２Ｅ、３２Ｆ、３２Ｇ、３２Ｈ、３２Ｉ、３２Ｊ、３２Ｋの中央部に位置するようにケース体２９部位に配線ボックス３、４の一対の磁石１６、１７、２３、２４および換気用ダクト５の換気用ダクト検出具２８の磁石２７の磁力と吸着あるいは反発により、距離が離れている配線ボックス３、４の一対の磁石１６、１７、２３、２４や換気用ダクト５の磁石２７の磁力を検出する検出用磁石４４、４４、４４、４４、４４、４４、４４、４４、４４、４４、４４、４４を用いた点で、このように構成した配線ボックス等の検出器１Ｂにしても、前記本発明を実施するための最良の第１の形態と同様な作用効果が得られるとともに、検出用磁石４４、４４、４４、４４、４４、４４、４４、４４、４４、４４、４４、４４によって、配線ボックス３、４や換気用ダクト５の磁石１６、１７、２３、２４、２７の磁力線が長くなり、深い所にある配線ボックス３、４や換気用ダクト５でも正確に検出することができる。
【産業上の利用可能性】
【００２４】
本発明は壁板で埋設された配線ボックスや換気用ダクトを検出する配線ボックス等の検出器を製造する産業で利用される。
【図面の簡単な説明】
【００２５】
【図１】本発明を実施するための最良の第１の形態の使用状態の説明図。
【図２】小判型配線ボックスの平面図。
【図３】小判型配線ボックスの側面図。
【図４】図２の４−４線に沿う断面図。
【図５】丸型配線ボックスの平面図。
【図６】丸型配線ボックスの側面図。
【図７】図５の７−７線に沿う断面図。
【図８】換気用ダクト検出具が取付けられた換気用ダクトの正面図。
【図９】図８の９−９線に沿う断面図。
【図１０】換気用ダクト検出具の説明図。
【図１０−１】シールセンサーの平面図。
【図１０−２】シールセンサーの正面図。
【図１０−３】角柱にシールセンサーを取り付けた状態の説明図。
【図１０−４】角パイプにシールセンサーを取り付けた状態の説明図。
【図１０−５】丸パイプにシールセンサーを取り付けた状態の説明図。
【図１１】本発明を実施するための最良の第１の形態の開放状態の平面図。
【図１２】本発明を実施するための最良の第１の形態の開放状態の側面図。
【図１３】本発明を実施するための最良の第１の形態の閉じた状態の平面図。
【図１４】本発明を実施するための最良の第１の形態のホールＩＣ（磁気センサー）の制御回路図。
【図１５】本発明を実施するための最良の第１の形態の概略ブロック図。
【図１６】本発明を実施するための最良の第１の形態の小判型配線ボックスの検出状態の説明図。
【図１７】本発明を実施するための最良の第１の形態の丸型配線ボックスの検出状態の説明図。
【図１８】本発明を実施するための最良の第１の形態の換気用ダクトの検出状態の説明図。
【図１９】本発明を実施するための第２の形態の使用状態の説明図。
【図２０】本発明を実施するための第２の形態の開放状態の平面図。
【図２１】本発明を実施するための第２の形態の開放状態の側面図。
【図２２】本発明を実施するための第２の形態のホールＩＣ（磁気センサー）の配置状態の説明図。
【図２３】本発明を実施するための第２の形態の概略ブロック図。
【図２４】本発明を実施するための第３の形態の使用状態の説明図。
【図２５】本発明を実施するための第３の形態の開放状態の平面図。
【図２６】本発明を実施するための第３の形態の開放状態の側面図。
【図２６−１】本発明を実施するための第３の形態の要部説明図。
【図２７】本発明を実施するための第３の形態のホールＩＣ（磁気センサー）の制御回路図。
【図２８】本発明を実施するための第３の形態の測定時の検出用磁石と配線ボックスの磁石との状態の説明図。
【符号の説明】
【００２６】
１、１Ａ、１Ｂ：配線ボックス等の検出器、
１Ａ：配線ボックス検出器、    ２：壁板、
３：小判型配線ボックス、      ４：丸型配線ボックス、
５：換気用ダクト、            ６：配線ボックス本体、
７：ねじ孔、                  ８：カバー取付片、
９：ビス、                    １０：ビス挿入溝、
１１：透孔、                  １２：小判型のカバー、
１３：凹部、                  １４：ねじ孔、
１５：取付片、                １６：磁石（ Ｎ極）、
１７：磁石（Ｓ極）、            １８：透孔、
１９：丸型のカバー、          ２０：凹部、
２１：ねじ孔、                ２２：取付片、
２３：磁石（ Ｎ極） 、         
２４：磁石（Ｎ極）、
２５：壁面、                  ２６：換気用ダクト本体、
２７：磁石（Ｎ極）、            ２８：換気用ダクト検出具、
２９：ケース体、              ３０：け書き突片、
３１：け書き用透孔、                    
３２、３２Ａ〜３２Ｋ：ホールＩＣ（磁気センサー）、
３３：表示器、                ３４：小判型ランプ、
３５：丸型ランプ、            ３６：換気用ランプ、
３７：型表示手段、            ３８：表示手段、
３９：水平器、                ４０：電源、
４１：電源スイッチ、          ４２：蓋、
４３：水平器、                ４４：検出用磁石。
【図１】
2010038703.tif 000003
【図２】
2010038703.tif 000004
【図３】
2010038703.tif 000005
【図４】
2010038703.tif 000006
【図５】
2010038703.tif 000007
【図６】
2010038703.tif 000008
【図７】
2010038703.tif 000009
【図８】
2010038703.tif 000010
【図９】
2010038703.tif 000011
【図１０】
2010038703.tif 000012
【図１０−１】
2010038703.tif 000013
【図１０−２】
2010038703.tif 000014
【図１０−３】
2010038703.tif 000015
【図１０−４】
2010038703.tif 000016
【図１０−５】
2010038703.tif 000017
【図１１】
2010038703.tif 000018
【図１２】
2010038703.tif 000019
【図１３】
2010038703.tif 000020
【図１４】
2010038703.tif 000021
【図１５】
2010038703.tif 000022
【図１６】
2010038703.tif 000023
【図１７】
2010038703.tif 000024
【図１８】
2010038703.tif 000025
【図１９】
2010038703.tif 000026
【図２０】
2010038703.tif 000027
【図２１】
2010038703.tif 000028
【図２２】
2010038703.tif 000029
【図２３】
2010038703.tif 000030
【図２４】
2010038703.tif 000031
【図２５】
2010038703.tif 000032
【図２６】
2010038703.tif 000033
【図２６−１】
2010038703.tif 000034
【図２７】
2010038703.tif 000035
【図２８】
2010038703.tif 000036